(57)【特許請求の範囲】
【請求項１】
Ｘ線光電子分光法（ＥＳＣＡ）によるシリコーン材料表面の元素組成百分率において、（ｉ）炭素原子の元素組成百分率が６１.５〜６６.７ａｔｏｍ％であるか、（ii）炭素原子の元素組成百分率とケイ素原子の元素組成百分率の比（Ｃ／Ｓｉ）が３.４〜４.２であるか、または（iii）前記（ｉ）および（ii）のいずれも満たし、前記シリコーン材料が、
（Ａ）平均組成式：
Ｒ２ａＳiＯ[(４−ａ)/２]
（式中、Ｒ２は独立に、炭素数１〜１２のアルキル基、炭素数２〜１２のアルケニル基、炭素数６〜２０のアリール基、または炭素数７〜２０のアラルキル基、但し、アルケニル基は全Ｒ２の１〜２０モル％であり、アリール基は全Ｒ２の多くとも４０モル％であり、ａは１≦ａ＜２を満たす数である。）
で表されるオルガノポリシロキサン、
（Ｂ）一分子中に少なくとも２個のケイ素原子結合水素原子を有するオルガノポリシロキサン｛（Ａ）成分中のアルケニル基の合計１モルに対して、本成分中のケイ素原子結合水素原子が０.１〜５モルとなる量｝、および
（Ｃ）ヒドロシリル化反応用触媒（本組成物の硬化を促進する量）
から少なくともなる硬化性シリコーン組成物の硬化により形成されていることを特徴とするシリコーン材料。
【請求項２】
シリコーン材料が光学材料である、請求項１に記載のシリコーン材料。
【請求項３】
シリコーン材料が光素子の封止材である、請求項１に記載のシリコーン材料。
【請求項４】
請求項１に記載のシリコーン材料で光素子を封止してなる光デバイス。
【請求項５】
光素子がＬＥＤである、請求項４に記載の光デバイス。
【発明の詳細な説明】
【技術分野】
【０００１】
本発明は、シリコーン材料、それを形成するための硬化性シリコーン組成物、および前記シリコーン材料を有する光デバイスに関する。
【背景技術】
【０００２】
シリコーン材料は透明性が優れ、耐熱性や耐候性も優れることから、レンズ材料、あるいは発光ダイオード（ＬＥＤ）の封止材として使用されている（特許文献１参照）。
【０００３】
しかし、近年、ＬＥＤの高輝度化に伴い、シリコーン材料といえども光や熱により透明性が低下し、クラックが発生するという課題があることがわかった。
【先行技術文献】
【特許文献】
【０００４】
【特許文献１】特開２００２−３１４１３９号公報
【発明の概要】
【発明が解決しようとする課題】
【０００５】
本発明の目的は、光および熱に対して安定であり、透過率の低減やクラックが起こり難いシリコーン材料を提供することにある。また、本発明の他の目的は、このようなシリコーン材料を形成する硬化性シリコーン組成物を提供することにあり、また、このようなシリコーン材料を用いた、信頼性が優れる光デバイスを提供することにある。
【課題を解決するための手段】
【０００６】
本発明のシリコーン材料は、Ｘ線光電子分光法（ＥＳＣＡ）によるシリコーン材料表面の元素組成百分率において、（ｉ）炭素原子の元素組成百分率が５０.０〜７０.０ａｔｏｍ％であるか、（ii）炭素原子の元素組成百分率とケイ素原子の元素組成百分率の比（Ｃ／Ｓｉ）が２.０〜５.０であるか、または（iii）前記（ｉ）および（ii）のいずれも満たすことを特徴とする。
【０００７】
このシリコーン材料は、その構造中にＳｉ−Ｒ１−Ｓｉ結合（式中、Ｒ１はアルキレン基またはアリーレン基である。）を有することが好ましく、このシリコーン材料は光学材料、特に、光素子の封止材であることが好ましい。
【０００８】
本発明の硬化性シリコーン組成物は、硬化して、上記のようなシリコーン材料を形成するものであり、一分子中に少なくとも２個のケイ素原子結合アルケニル基と少なくとも１個のケイ素原子結合アリール基を有するオルガノポリシロキサン、一分子中に少なくとも２個のケイ素原子結合水素原子を有するオルガノポリシロキサン、およびヒドロシリル化反応用触媒からなることを特徴とする。
【０００９】
本発明の光デバイスは、上記のシリコーン材料で光素子を封止してなることを特徴とし、好ましくは、前記光素子がＬＥＤであることを特徴とする。
【発明の効果】
【００１０】
本発明のシリコーン材料は、光および熱に対して安定であり、透過率の低減やクラックが起こり難いという特徴がある。また、本発明のシリコーン組成物は、このようなシリコーン材料を形成するという特徴がある。さらに、本発明の光デバイスは、信頼性が優れるという特徴がある。
【図面の簡単な説明】
【００１１】
【図１】本発明の光デバイスの一例であるチップオンボード（ＣＯＢ）型のＬＥＤデバイスの断面図である。
【図２】本発明の光デバイスの一例である他のＬＥＤデバイスの断面図である。
【発明を実施するための形態】
【００１２】
（シリコーン材料）
本発明のシリコーン材料は、Ｘ線光電子分光法（ＥＳＣＡ）によるシリコーン材料表面の元素組成百分率において、
（ｉ）炭素原子の元素組成百分率が５０.０〜７０.０ａｔｏｍ％であるか、
（ii）炭素原子の元素組成百分率とケイ素原子の元素組成百分率の比（Ｃ／Ｓｉ）が２.０〜５.０であるか、または
（iii）前記（ｉ）および（ii）のいずれも満たすことを特徴とする。
【００１３】
シリコーン材料表面のＸ線光電子分光法（ＥＳＣＡ）による原子組成百分率における炭素原子の割合は５０.０〜７０.０ａｔｏｍ％、好ましくは、６０.０〜６８.０ａｔｏｍ％である。これは、炭素原子の割合が上記範囲の下限以上であれば、光および熱に安定でシリコーン材料の透過率低減が起こりづらく、高耐久のＬＥＤデバイスが作製できるからであり、一方、上記範囲の上限以下であると、シリコーン材料のクラックが起こりにくく、高耐久のＬＥＤデバイスが作製できるからである。
【００１４】
また、シリコーン材料表面のＸ線光電子分光法（ＥＳＣＡ）による原子組成百分率における、炭素原子の元素組成百分率とケイ素原子の元素組成百分率の比（Ｃ／Ｓｉ）は２.０〜５.０であり、好ましくは、３.０〜４.５である。これは、この比（Ｃ／Ｓｉ）が上記範囲の下限以上であれば、高靱性付与によるクラックの発生抑制できるからであり、一方、上記範囲の上限以下であると、光および熱による組成分解を抑制できるからである。
【００１５】
また、シリコーン材料は、その構造中にＳｉ−Ｒ１−Ｓｉ結合を有することが好ましい。これは、このような結合を有するシリコーン材料は、光および熱による劣化、およびＬＥＤの点灯・消灯を繰り返すときに生じる内部圧力によるダメージを緩和することができるからである。
【００１６】
式中、Ｒ１はアルキレン基またはアリーレン基である。このアルキレン基としては、メチルメチレン基、エチレン基、プロピレン基、メチルエチレン基、ブチレン基、イソブチレン基等の炭素数２〜１２のアルキレン基が挙げられる。また、このアリーレン基としては、フェニレン基、トリレン基、キシリレン基、ナフチレン基等の炭素数６〜１２のアリーレン基が挙げられる。
【００１７】
このような本発明のシリコーン材料の形状は限定されず、例えば、シート状、フィルム状、ファイバー状、板状、球状、半球状、凸レンズ状、凹レンズ状、フレネルレンズ状、円柱状、円筒状が挙げられる。また、本発明のシリコーン材料は単体で使用することもできるが、例えば、光デバイスにおける光素子の封止材、接着材、被覆材としても用いることができ、光デバイスにおけるレンズや、太陽電池における保護材や集光レンズとして用いることもできる。
【００１８】
（硬化性シリコーン組成物）
本発明のシリコーン材料を形成する硬化性シリコーン組成物の硬化機構は限定されず、例えば、付加反応、縮合反応、ラジカル反応が例示され、好ましくは、付加反応である。
【００１９】
付加反応で硬化する硬化性シリコーン組成物は、一分子中に少なくとも２個のケイ素原子結合アルケニル基と少なくとも１個のケイ素原子結合アリール基を有するオルガノポリシロキサン、一分子中に少なくとも２個のケイ素原子結合水素原子を有するオルガノポリシロキサン、およびヒドロシリル化反応用触媒から少なくともなる。
【００２０】
このような硬化性シリコーン組成物としては、
（Ａ）平均組成式：
Ｒ２ａＳiＯ[(４−ａ)/２]
（式中、Ｒ２は独立に、炭素数１〜１２のアルキル基、炭素数２〜１２のアルケニル基、炭素数６〜２０のアリール基、または炭素数７〜２０のアラルキル基、但し、アルケニル基は全Ｒ２の１〜２０モル％であり、アリール基は全Ｒ２の多くとも４０モル％であり、ａは１≦ａ＜２を満たす数である。）
で表されるオルガノポリシロキサン、
（Ｂ）一分子中に少なくとも２個のケイ素原子結合水素原子を有するオルガノポリシロキサン｛（Ａ）成分中のアルケニル基の合計１モルに対して、本成分中のケイ素原子結合水素原子が０.１〜５モルとなる量｝、および
（Ｃ）ヒドロシリル化反応用触媒（本組成物の硬化を促進する量）
から少なくともなるものが好ましい。
【００２１】
（Ａ）成分は本組成物の主剤であり、平均組成式：
Ｒ２ａＳiＯ[(４−ａ)/２]
で表されるオルガノポリシロキサンである。
【００２２】
式中、Ｒ２は独立に、炭素数１〜１２のアルキル基、炭素数２〜１２のアルケニル基、炭素数６〜２０のアリール基、または炭素数７〜２０のアラルキル基である。具体的には、メチル基、エチル基、プロピル基、ブチル基、ペンチル基、ヘキシル基、ヘプチル基、オクチル基、ノニル基、デシル基、ウンデシル基、ドデシル基等のアルキル基；ビニル基、アリル基、ブテニル基、ペンテニル基、ヘキセニル基、ヘプテニル基、オクテニル基、ノネニル基、デセニル基、ウンデセニル基、ドデセニル基等のアルケニル基；フェニル基、トリル基、キシリル基、ナフチル基、アントラセニル基、フェナントリル基、ピレニル基等のアリール基；ナフチルエチル基、ナフチルプロピル基、アントラセニルエチル基、フェナントリルエチル基、ピレニルエチル基等のアラルキル基；およびこれらのアリール基またはアラルキル基の水素原子をメチル基、エチル基等のアルキル基；メトキシ基、エトキシ基等のアルコキシ基；塩素原子、臭素原子等のハロゲン原子で置換した基が例示される。なお、上式中、全Ｒ２の１〜２０モル％、好ましくは、１〜１５モル％、または２〜１５モル％は前記アルケニル基である。これは、アルケニル基の含有量が上記範囲の下限以上であると、本組成物が十分に硬化するからであり、一方、上記範囲の上限以下であると、本組成物を硬化して得られる硬化物の物理特性が良好であるからである。また、上式中、全Ｒ２の多くとも４０モル％、好ましくは、多くとも３５モル％、または多くとも３０モル％は前記アリール基であり、一方、少なくとも１モル％、少なくとも５モル％、または少なくとも１０モル％である。これは、アリール基の含有量が上記範囲の上限以下であると、本組成物を硬化して得られる硬化物の耐熱性が良好であり、本組成物により光素子を封止した光デバイスの信頼性を向上させることができるからであり、一方、上記範囲の上限以上であると、本組成物により光素子を封止した光デバイスの発光効率を向上させることができるからである。
【００２３】
式中、ａは１≦ａ＜２を満たす数であり、好ましくは、１.２≦ａ＜２を満たす数、１.３≦ａ＜２を満たす数、あるいは、１.４≦ａ＜２を満たす数である。これは、ａが上記範囲の下限以上であると、本組成物により光素子を封止した光デバイスの信頼性を向上させることができるからであり、一方、上記範囲の上限以下であると、本組成物を硬化して得られる硬化物の物理的特性が良好であるからである。
【００２４】
このような（Ａ）成分の分子構造としては、例えば、直鎖状、一部分岐を有する直鎖状、分岐鎖状、環状、樹枝状が挙げられ、好ましくは、直鎖状、一部分岐を有する直鎖状、樹枝状である。（Ａ）成分としては、これらの分子構造を有する２種以上のオルガノポリシロキサンを混合してもよい。
【００２５】
（Ｂ）成分は本組成物の架橋剤であり、一分子中に少なくとも２個のケイ素原子結合水素原子を有するオルガノポリシロキサンである。（Ｂ）成分の分子構造としては、例えば、直鎖状、一部分岐を有する直鎖状、分岐鎖状、環状、樹枝状が挙げられ、好ましくは、直鎖状、一部分岐を有する直鎖状、樹枝状である。（Ｂ）成分中のケイ素原子結合水素原子の結合位置は限定されず、例えば、分子鎖末端および／または分子鎖側鎖が挙げられる。また、（Ｂ）成分中の水素原子以外のケイ素原子に結合する基としては、メチル基、エチル基、プロピル基等のアルキル基；フェニル基、トリル基、キシリル基等のアリール基；ベンジル基、フェネチル基等のアラルキル基；３−クロロプロピル基、３,３,３−トリフロロプロピル基等のハロゲン化アルキル基が例示され、好ましくは、メチル基、フェニル基である。また、（Ｂ）成分の粘度は限定されないが、２５℃における粘度が１〜１０,０００ｍＰa・ｓの範囲内であることが好ましく、特に、１〜１,０００ｍＰa・ｓの範囲内であることが好ましい。
【００２６】
このような（Ｂ）成分のオルガノポリシロキサンとしては、１,１,３,３−テトラメチルジシロキサン、１,３,５,７−テトラメチルシクロテトラシロキサン、トリス(ジメチルハイドロジェンシロキシ)メチルシラン、トリス(ジメチルハイドロジェンシロキシ)フェニルシラン、１−(３−グリシドキシプロピル)−１,３,５,７−テトラメチルシクロテトラシロキサン、１,５−ジ(３−グリシドキシプロピル)−１,３,５,７−テトラメチルシクロテトラシロキサン、１−(３−グリシドキシプロピル)−５−トリメトキシシリルエチル−１,３,５,７−テトラメチルシクロテトラシロキサン、分子鎖両末端トリメチルシロキシ基封鎖メチルハイドロジェンポリシロキサン、分子鎖両末端トリメチルシロキシ基封鎖ジメチルシロキサン・メチルハイドロジェンシロキサン共重合体、分子鎖両末端ジメチルハイドロジェンシロキシ基封鎖ジメチルポリシロキサン、分子鎖両末端ジメチルハイドロジェンシロキシ基封鎖ジメチルシロキサン・メチルハイドロジェンシロキサン共重合体、分子鎖両末端トリメチルシロキシ基封鎖メチルハイドロジェンシロキサン・ジフェニルシロキサン共重合体、分子鎖両末端トリメチルシロキシ基封鎖メチルハイドロジェンシロキサン・ジフェニルシロキサン・ジメチルシロキサン共重合体、トリメトキシシランの加水分解縮合物、(ＣＨ３)２ＨＳiＯ１/２単位とＳiＯ４/２単位とからなる共重合体、(ＣＨ３)２ＨＳiＯ１/２単位とＳiＯ４/２単位と(Ｃ６Ｈ５)ＳiＯ３/２単位とからなる共重合体、およびこれらの２種以上の混合物が例示される。
【００２７】
（Ｂ）成分として、さらに次のようなオルガノシロキサンも例示される。なお、式中、Ｍe、Ｐhは、それぞれ、メチル基、フェニル基を示し、ｍは１〜１００の整数であり、ｎは１〜５０の整数であり、ｂ、ｃ、ｄ、ｅはそれぞれ正の数であり、ただし、一分子中のｂ、ｃ、ｄ、ｅの合計は１である。
ＨＭe２ＳiＯ(Ｐh２ＳiＯ)ｍＳiＭe２Ｈ
ＨＭeＰhＳiＯ(Ｐh２ＳiＯ)ｍＳiＭeＰhＨ
ＨＭeＰhＳiＯ(Ｐh２ＳiＯ)ｍ(ＭeＰhＳiＯ)ｎＳiＭeＰhＨ
ＨＭeＰhＳiＯ(Ｐh２ＳiＯ)ｍ(Ｍe２ＳiＯ)ｎＳiＭeＰhＨ
(ＨＭe２ＳiＯ１/２)ｂ(ＰhＳiＯ３/２)ｃ
(ＨＭeＰhＳiＯ１/２)ｂ(ＰhＳiＯ３/２)ｃ
(ＨＭeＰhＳiＯ１/２)ｂ(ＨＭe２ＳiＯ１/２)ｃ(ＰhＳiＯ３/２)ｄ
(ＨＭe２ＳiＯ１/２)ｂ(Ｐh２ＳiＯ２/２)ｃ(ＰhＳiＯ３/２)ｄ
(ＨＭeＰhＳiＯ１/２)ｂ(Ｐh２ＳiＯ２/２)ｃ(ＰhＳiＯ３/２)ｄ
(ＨＭeＰhＳiＯ１/２)ｂ(ＨＭe２ＳiＯ１/２)ｃ(Ｐh２ＳiＯ２/２)ｄ(ＰhＳiＯ３/２)ｅ
【００２８】
（Ｂ）成分の含有量は、（Ａ）成分中のアルケニル基の合計１モルに対して、本成分中のケイ素原子結合水素原子が０.１〜５モルの範囲内となる量であり、好ましくは、０.５〜２モルの範囲内となる量である。これは、（Ｂ）成分の含有量が上記範囲の下限以上であると、得られる組成物が十分に硬化するからであり、一方、上記範囲の上限以下であると、シリコーン材料の耐熱性が向上するからである。
【００２９】
（Ｃ）成分は本組成物の硬化を促進するためのヒドロシリル化反応用触媒であり、白金系触媒、ロジウム系触媒、パラジウム系触媒が例示され、好ましくは、白金系触媒である。この白金系触媒としては、白金微粉末、白金黒、白金担持シリカ微粉末、白金担持活性炭、塩化白金酸、塩化白金酸のアルコール溶液、白金のオレフィン錯体、白金のアルケニルシロキサン錯体等の白金系化合物が例示される。
【００３０】
（Ｃ）成分の含有量は本組成物の硬化を促進する量であり、好ましくは、本組成物に対して、この触媒中の金属原子が質量単位で０.０１〜１,０００ｐｐｍの範囲内となる量である。これは、（Ｃ）成分の含有量が上記範囲の下限未満であると、得られる組成物の硬化が十分に進行しなくなるおそれがあるからであり、一方、上記範囲の上限を超えても硬化が著しく促進されるものではなく、むしろ硬化物に着色等の問題を生じるおそれがあるからである。
【００３１】
本組成物には、常温での可使時間を延長し、保存安定性を向上させるための任意の成分として、（Ｄ）ヒドロシリル化反応抑制剤を含んでもよい。このような（Ｄ）成分としては、１−エチニルシクロヘキサン−１−オール、２−メチル−３−ブチン−２−オール、３,５−ジメチル−１−ヘキシン−３−オール、および２−フェニル−３−ブチン−２−オール等のアルキンアルコール；３−メチル−３−ペンテン−１−イン、および３,５−ジメチル−３−ヘキセン−１−イン等のエンイン化合物；１,３,５,７−テトラメチル−１,３,５,７−テトラビニルシクロテトラシロキサン、および１,３,５,７−テトラメチル−１,３,５，７−テトラヘキセニルシクロテトラシロキサン等のメチルアルケニルシロキサンオリゴマー；ジメチルビス(１,１−ジメチル−２−プロピンオキシ)シラン、およびメチルビニルビス(１,１−ジメチル−２−プロピンオキシ)シラン等のアルキンオキシシラン、ならびにトリアリルイソシアヌレート系化合物が例示される。
【００３２】
（Ｄ）成分の含有量は限定されないが、好ましくは、上記（Ａ）成分〜（Ｃ）成分の合計１００質量部に対して０.０１〜３質量部の範囲内、または０.０１〜１質量部の範囲内である。これは、（Ｄ）成分の含有量が上記範囲の下限以上であると、本組成物の適度な可使時間を有し、一方、上記範囲の上限以下であると、適度な作業性を有するからである。
【００３３】
また、本組成物には、その接着性を向上させるための（Ｅ）接着付与剤を含有してもよい。この（Ｅ）成分としては、ケイ素原子に結合したアルコキシ基を一分子中に少なくとも１個有する有機ケイ素化合物が好ましい。このアルコキシ基としては、メトキシ基、エトキシ基、プロポキシ基、ブトキシ基、メトキシエトキシ基が例示され、特に、メトキシ基が好ましい。また、（Ｅ）成分のケイ素原子に結合するアルコキシ基以外の基としては、アルキル基、アルケニル基、アリール基、アラルキル基、ハロゲン化アルキル基等のハロゲン置換もしくは非置換の一価炭化水素基；３−グリシドキシプロピル基、４−グリシドキシブチル基等のグリシドキシアルキル基；２−(３,４−エポキシシクロヘキシル)エチル基、３−(３,４−エポキシシクロヘキシル)プロピル基等のエポキシシクロヘキシルアルキル基；３,４−エポキシブチル基、７,８−エポキシオクチル基等のエポキシアルキル基；３−メタクリロキシプロピル基等のアクリル基含有一価有機基；水素原子が例示される。（Ｅ）成分は本組成物中のアルケニル基またはケイ素原子結合水素原子と反応し得る基を有することが好ましく、具体的には、ケイ素原子結合水素原子またはアルケニル基を有することが好ましい。また、各種の基材に対して良好な接着性を付与できることから、（Ｅ）成分は一分子中に少なくとも１個のエポキシ基含有一価有機基を有するものであることが好ましい。（Ｅ）成分としては、オルガノシラン化合物、オルガノシロキサンオリゴマー、アルキルシリケートが例示される。このオルガノシロキサンオリゴマーあるいはアルキルシリケートの分子構造としては、直鎖状、一部分枝を有する直鎖状、分枝鎖状、環状、網状が例示され、特に、直鎖状、分枝鎖状、網状であることが好ましい。（Ｅ）成分としては、３−グリシドキシプロピルトリメトキシシラン、２−(３,４−エポキシシクロヘキシル)エチルトリメトキシシラン、３−メタクリロキシプロピルトリメトキシシラン等のシラン化合物；一分子中にケイ素原子結合アルケニル基もしくはケイ素原子結合水素原子、およびケイ素原子結合アルコキシ基をそれぞれ少なくとも１個ずつ有するシロキサン化合物、ケイ素原子結合アルコキシ基を少なくとも１個有するシラン化合物またはシロキサン化合物と一分子中にケイ素原子結合ヒドロキシ基とケイ素原子結合アルケニル基をそれぞれ少なくとも１個ずつ有するシロキサン化合物との混合物、メチルポリシリケート、エチルポリシリケート、エポキシ基含有エチルポリシリケートが例示される。（Ｅ）成分は低粘度液状であることが好ましく、その粘度は限定されないが、２５℃において１〜５００ｍＰａ・ｓの範囲内であることが好ましい。また、本組成物において、（Ｅ）成分の含有量は限定されないが、本組成物の合計１００質量部に対して０.０１〜１０質量部の範囲内であることが好ましい。
【００３４】
また、本組成物には、本発明の目的を損なわない限り、その他任意の成分として、シリカ、ガラス、アルミナ、酸化亜鉛等の無機質充填剤；ポリメタクリレート樹脂等の有機樹脂微粉末；蛍光体、耐熱剤、染料、顔料、難燃性付与剤、溶剤等を含有してもよい。
【００３５】
本組成物は室温もしくは加熱により硬化が進行するが、迅速に硬化させるためには加熱することが好ましい。この加熱温度としては、５０〜２００℃の範囲内であることが好ましい。
【００３６】
（光デバイス）
本発明の光デバイスは、上記のシリコーン材料により光素子が封止されてなることを特徴とする。本発明の光デバイスにおける光素子は限定されないが、フォトカプラー、発光ダイオード、固体撮像素子が例示され、好ましくは、発光ダイオードである。このような本発明の光デバイスを図１および図２を用いて詳細に説明する。
【００３７】
図１は、本発明の光デバイスの一例であるチップオンボード（ＣＯＢ）型のＬＥＤデバイスの断面図を示す。図１のＣＯＢ型ＬＥＤデバイスでは、ＬＥＤ２はＣＯＢ用の基板１上にダイボンドにより搭載され、シリコーン材料３により封止されている。また、基板１上のＬＥＤ２周囲には、ＬＥＤ２から出る光を効率よく反射するように光反射材（図示せず）が形成されていてもよい。
【００３８】
図２は、本発明の光デバイスの一例である他のＬＥＤデバイスの断面図を示す。図２のＬＥＤデバイスでは、ＬＥＤ２がリードフレーム４’上にダイボンドにより搭載され、リードフレーム４とボンディングワイヤ５により電気的に接続されている。ＬＥＤ２はシリコーン材料３により封止されている。また、リードフレーム４、４’上のＬＥＤ２周囲には、ＬＥＤ２から出る光を効率よく反射するように光反射材６が形成されている。
【００３９】
図１のＬＥＤデバイスにおいて、基板１はアルミニウムや銅等の金属製基板であってもよい、その金属製基板の表面に絶縁層（図示せず）を介して回路が形成されている。また、基板１として非金属製基板を用いる場合には、絶縁層を形成する必要はない。このような非金属製基板としては、ガラスエポキシ基板、ポリブチレンテレフタレート（ＰＢＴ）基板、ポリイミド基板、ポリエステル基板、窒化アルミニウム基板、窒化ホウ素基板、窒化ケイ素基板、アルミナセラミックス基板、ガラス基板、フレキシブルガラス基板が例示される。さらには、この基板１として、絶縁樹脂層を有するアルミニウム製基板または銅製基板からなるハイブリッド基板や、プリント配線したシリコン基板、炭化ケイ素基板、サファイア基板を用いることもできる。
【００４０】
図２のＬＥＤデバイスにおいて、リードフレーム４、４’には、電気伝導性の高い、銀、銅、およびアルミニウムからなる群から選ばれる少なくとも一種の金属、または、銀、銅、およびアルミニウムからなる群から選ばれる少なくとも一種を含む合金が用いられる。さらに、このリードフレーム４、４’には、ＬＥＤ２を搭載する部分を露出するように光反射材６が形成されていることが好ましい。
【００４１】
図１では、ＬＥＤ２が基板１上に１個のみ図示されているが、このＬＥＤ２を基板１上に複数搭載してもよい。
【実施例】
【００４２】
本発明のシリコーン材料、硬化性シリコーン組成物、および光デバイスを実施例により詳細に説明する。
【００４３】
［Ｘ線光電子分光法（ＸＰＳ）による表面の原子組成百分率の測定］
Ｘ線光電子分光（Ｘ−ｒａｙ  Ｐｈｏｔｏｅｌｅｃｔｒｏｎ  Ｓｐｅｃｔｒｏｓｃｏｐｙ）によりシリコーン材料表面の原子組成百分率を測定した。なお、測定は、Ｋｒａｔｏｓ  Ａｎａｌｙｔｉｃａｌ社製のＡＸＩＳ  Ｎｏｖａを用いた。また、使用したＸ線の励起源は、Ａｌ−Ｋ  α線を使用し、１５０Ｗ、モノクロメーターを使用し、分析面積は０.４ｍｍ×０.９ｍｍとした。サーベイスキャン測定によって、Ｃ１ｓ、Ｏ１ｓ、Ｎ１ｓ、Ｆ１ｓのピーク面積を求め、各元素に対するＸＰＳの相対感度にて補正してうえで、原子組成百分率を求めた。得られた原子組成百分率の値から、Ｃ原子の比率、およびＳｉ原子に対するＣ原子の割合を求めた。
【００４４】
［硬化性シリコーン組成物の調製］
下記の成分を用いて、表１に示した組成（質量部）で硬化性シリコーン組成物を調製した。なお、表１中、（Ｃ）成分の含有量を、質量単位における、硬化性シリコーン組成物に対する白金金属の含有量（ｐｐｍ）で示した。また、表１中のＳｉＨ／Ｖｉは、硬化性シリコーン組成物において、（Ａ）成分中のビニル基１モルに対する、（Ｂ）成分中のケイ素原子結合水素原子のモル数の値である。なお、式中、Ｍe、Ｐh、Ｖi、Ｅpはそれぞれ、メチル基、フェニル基、ビニル基、３−グリシドキシプロピル基を表す。
【００４５】
（Ａ）成分として、次の成分を用いた。
（ａ−１）成分：平均組成式：
Ｍe１.６２Ｖi０.０６Ｐh０.２６ＳiＯ１.０３
で表されるオルガノポリシロキサン（ビニル基の含有量＝３.１モル％、フェニル基の含有量＝１３.４モル％）
（ａ−２）成分：平均組成式：
Ｍe１.１４Ｖi０.１４Ｐh０.２６ＳiＯ１.２２
で表されるオルガノポリシロキサン（ビニル基の含有量＝９.１モル％、フェニル基の含有量＝１６.９モル％）
（ａ−３）成分：平均組成式：
Ｍe１.１７Ｖi０.１３Ｐh０.２３ＳiＯ１.２３
で表されるオルガノポリシロキサン（ビニル基の含有量＝８.５モル％、フェニル基の含有量＝１５.０モル％）
（ａ−４）成分：平均組成式：
Ｍe０.９４Ｖi０.１８Ｐh０.４４ＳiＯ１.２２
で表されるオルガノポリシロキサン（ビニル基の含有量＝１１.５モル％、フェニル基の含有量＝２８.２モル％）
（ａ−５）成分：平均組成式：
Ｍe０.６８Ｖi０.３４Ｐh０.７３ＳiＯ１.１１
で表されるオルガノポリシロキサン（ビニル基の含有量＝１９.４モル％、フェニル基の含有量＝４１.７モル％）
（ａ−６）成分：平均組成式：
Ｍe１.７８Ｖi０.０４ＳiＯ１.０９
で表されるオルガノポリシロキサン（ビニル基の含有量＝２.２モル％）
【００４６】
（Ｂ）成分として、次の成分を用いた。
（ｂ−１）成分：平均単位式：
(Ｍe２ＨＳiＯ１/２)０.６５(ＳiＯ４/２)０.３５
で表されるオルガノポリシロキサンレジン
（ｂ−２）成分：式：
ＨＭe２ＳiＯＰh２ＳiＯＳiＭe２Ｈ
で表されるオルガノトリシロキサン
（ｂ−３）成分：平均単位式：
(Ｍe２ＨＳiＯ１/２)０.６(ＰhＳiＯ３/２)０.４
で表されるオルガノポリシロキサンレジン
（ｂ−４）成分：式：
Ｍe３ＳiＯ(ＭeＨＳiＯ)５０ＳiＭe３
で表されるオルガノポリシロキサン
【００４７】
（Ｃ）成分として、次の成分を用いた。
（ｃ−１）成分：白金−１,３−ジビニル−１,１,３,３−テトラメチルジシロキサン錯体の１,３,５,７−テトラメチル−１,３,５,７−テトラビニルシクロテトラシロキサンの溶液（白金として０.１質量％含有する溶液）
【００４８】
（Ｄ）成分として、次の成分を用いた。
（ｄ−１）成分：１,３,５,７−テトラメチル−１,３,５,７−テトラビニルシクロテトラシロキサン
（ｄ−２）成分：１−エチニルシクロヘキサノール
【００４９】
（Ｅ）成分として、次の成分を用いた。
（ｅ−１）成分：２５℃における粘度が３０ｍＰａ・ｓである分子鎖両末端シラノール基封鎖メチルビニルシロキサンオリゴマーと３−グリシドキシプロピルトリメトキシシランの縮合反応物からなる接着付与剤
（ｅ−２）成分：平均単位式：
(Ｍe２ＶiＳiＯ１/２)０.１８(ＭeＥpＳiＯ２/２)０.２８(ＰhＳiＯ３/２)０.５４
で表されるオルガノポリシロキサンレジンからなる接着付与剤
【００５０】
得られた硬化性シリコーン組成物１〜６をそれぞれ１２０℃の熱プレスで５分間加熱して硬化させた後、１５０℃のオーブン中でさらに１時間加熱して、シリコーン材料１〜６を作製した。これらのシリコーン材料表面の元素組成比をＸ線光電子分光法にて測定した。また、シリコーン材料の構造中のＳｉ−Ｃ２Ｈ４−Ｓｉ結合の有無を、１３Ｃ−核磁気共鳴スペクトル分析により確認した。それらの結果を表１に示した。
【００５１】
【表１】
0006707369.tif 000002
【００５２】
［実施例１］
セラミック基板にＬＥＤチップを実装したセラミックＬＥＤ基板を圧縮成型機に設置し、硬化性シリコーン組成物１を金型キャビティに流し込み、１２０℃５分間加熱圧縮成型することでＬＥＤチップ上にドーム状の封止材を成型した。さらに、１５０℃で１時間熱硬化を行い、ＬＥＤデバイスを作製した。得られたＬＥＤデバイスを８５℃８５％ＲＨの恒温恒湿オーブン中で７００ｍＡの電流を流し、通電点灯テストを行った。規定時間（５０時間）以内に、封止材の透過率の低減によるＬＥＤの輝度の低下（通電点灯試験での初期の輝度の９０％以下に低下）がなく、また、シリコーン材料にクラックは観察されなかった。
【００５３】
［実施例２］
硬化性シリコーン組成物２を用いて、実施例１と同様の方法でＬＥＤデバイスを作製し、通電点灯テストを行った。規定時間（５０時間）以内に、封止材の透過率の低減によるＬＥＤの輝度の低下や、シリコーン材料にクラックは観察されなかった。
【００５４】
［実施例３］
硬化性シリコーン組成物３を用いて、実施例１と同様の方法でＬＥＤデバイスを作製し、通電点灯テストを行った。規定時間（５０時間）以内に、封止材の透過率の低減によるＬＥＤの輝度の低下や、シリコーン材料にクラックは観察されなかった。
【００５５】
［実施例４］
硬化性シリコーン組成物４を用いて、実施例１と同様の方法でＬＥＤデバイスを作製し、通電点灯テストを行った。規定時間（５０時間）以内に、封止材の透過率の低減によるＬＥＤの輝度の低下や、シリコーン材料にクラックは観察されなかった。
【００５６】
［比較例１］
硬化性シリコーン組成物５を用いて、実施例１と同様の方法でＬＥＤデバイスを作製し、通電点灯テストを行った。規定時間（５０時間）以内に、封止材の透過率の低減によりＬＥＤデバイスの輝度が低下した。
【００５７】
［比較例２］
硬化性シリコーン組成物６を用いて、実施例１と同様の方法でＬＥＤデバイスを作製し、通電点灯テストを行った。しかし、規定時間（５０時間）以内でシリコーン材料にクラックが発生した。
【産業上の利用可能性】
【００５８】
本発明のシリコーン材料は、光および熱に対して安定であり、透過率の低減やクラックが起こり難いので、高輝度で高耐久性が求められるＬＥＤの封止材として好適である。
【符号の説明】
【００５９】
１  基板
２  ＬＥＤ
３  シリコーン材料
４、４’  リードフレーム
５  ボンディングワイヤ
６  光反射材
【図１】
0006707369.tif 000003
【図２】
0006707369.tif 000004